(57)【要約】【課題】水域建造物に設備されている重量構造物の撤去移動作業が容易に行われる浮体併用による重量構造物の移動方法並びに橋脚補修・補強工事用仮締切り構造体設置時に用いる仮設重量構造物の撤去移動方法を提供すること。【解決手段】橋脚１Ａに固定されている仮設重量構造物２Ａに、浮力を有する浮体４を付設し、この仮設重量構造物２Ａを引上げ装置５に連結した後、仮設重量構造物２Ａを橋脚１Ａから固定解除することにより水６上に落下させ、前記浮体４により水６に浮かんでいる仮設重量構造物２Ａを前記引上げ装置５で地上３へ移動させる。【選択図】図２
2018119342.tif 000002
【特許請求の範囲】
【請求項１】
河川や海などの水域に設けられている水域建造物から、この水域建造物に設備されている重量構造物を撤去して地上へと移動させる際に行われる浮体併用による重量構造物の移動方法であって、前記水域建造物に設備されている前記重量構造物に、浮力を有する浮体を付設し、この重量構造物を引上げ装置に連結した後、重量構造物を前記水域建造物から固定解除することにより水上に落下させ、前記浮体により水に浮かんでいる重量構造物を前記引上げ装置で地上へ移動させることを特徴とする浮体併用による重量構造物の移動方法。
【請求項２】
前記重量構造物に、この重量構造物に働く重力と同等の浮力を生じる若しくはこの重量構造物に働く重力以上の浮力を有する前記浮体を付設することを特徴とする請求項１記載の浮体併用による重量構造物の移動方法。
【請求項３】
前記水域建造物に設備されている前記重量構造物に、シャックルやカラビナなどの連結金具を付設し、この連結金具を介して重量構造物を前記引上げ装置に連結することを特徴とする請求項１，２のいずれか１項に記載の浮体併用による重量構造物の移動方法。
【請求項４】
河川や海などの水域に設けられている橋脚の上方に固定されて、橋脚補修・補強工事用の仮締切り構造体を橋脚上方の非水没箇所に支持している仮設重量構造物を、仮締切り構造体を水中に降下させるために橋脚から撤去する際に行われる橋脚補修・補強工事用仮締切り構造体設置時に用いる仮設重量構造物の撤去移動方法であって、前記橋脚に固定されている前記仮設重量構造物に、浮力を有する浮体を付設し、この仮設重量構造物を引上げ装置に連結した後、仮設重量構造物を橋脚から固定解除することにより水上に落下させ、前記浮体により水に浮かんでいる仮設重量構造物を前記引上げ装置で地上へ移動させることを特徴とする橋脚補修・補強工事用仮締切り構造体設置時に用いる仮設重量構造物の撤去移動方法。
【発明の詳細な説明】
【技術分野】
【０００１】
本発明は、河川や海などの水域に設けられている橋脚などの水域建造物から、この水域建造物に設備されている重量構造物を撤去して地上へと移動させる際に行う浮体併用による重量構造物の移動方法並びに橋脚の補修・補強工事用仮締切り構造体設置時に用いる支持ブラケットの撤去移動方法に関するものである。
【背景技術】
【０００２】
河川や海などに架けられた橋は、その橋脚30に経年劣化や地震などにより損傷を生じると、補修・補強工事を行う。
【０００３】
具体的には、橋脚30の周囲に筒状の仮締切り構造体31を構築し、この仮締切り構造体31によって水がその内側に入らないようにして作業スペース（ドライエリア）を確保する（例えば、特許文献１参照）。
【０００４】
また、仮締切り構造体31の設置手順を説明すると、例えば、橋脚30の上方の非水没箇所に足場支持用のブラケット32を固定し、このブラケット32上に仮設足場を組み、この仮設足場を利用して、底部に橋脚30を貫通配設する貫通孔部33が設けられ橋脚30の外周を囲むように設置される仮締切り構造体31を構築してこの仮締切り構造体31をブラケット32上に支持し、次いで、ブラケット32を橋脚30から撤去し、ブラケット32撤去により降下可能となった仮締切り構造体31を水中に降下させて、この仮締切り構造体31による前記作業スペースを水中に確保する。
【先行技術文献】
【特許文献】
【０００５】
【特許文献１】特開２００８−２９７７４８号公報
【発明の概要】
【発明が解決しようとする課題】
【０００６】
ところで、前述のブラケット32は、かなりの重量物であり、このブラケット32（仮設重量構造物32）を仮締切り構造体31構築後に橋脚30から撤去しなければならないが、この撤去作業が非常に厄介な作業となっていた。
【０００７】
即ち、このブラケット32の撤去方法を図４に基づいて説明すると、先ず、図４（ａ）に示すように、ブラケット32上に支持されている仮締切り構造体31を昇降装置（図示省略）により少し上昇させておき、ブラケット32の上腕部に地上40から第一のクレーン装置34のワイヤー35（第一ワイヤー35）を連結すると共に、ブラケット32の上腕部の先端（外端）に付設したシャックル36に、地上40から第二のクレーン装置37のワイヤー38（第二ワイヤー38）を連結し（図４（ｂ）参照）、次いで、二台のクレーン装置34・37でブラケット32を吊りながらブラケット32を橋脚30に固定しているアンカー39を切断し（図４（ｃ）参照）、次いで、ブラケット32が第二ワイヤー38にのみ吊られた状態となるように、第一ワイヤー35を緩め（図４（ｄ）参照）た後、第一ワイヤー35をブラケット32から連結解除して第二のクレーン装置37によりブラケット32を地上40へと移動させて撤去する（図４（ｅ）参照）ものであり、この撤去方法によると、クレーン装置が二台も必要な非常に大掛かりな作業となると共に、事前に二台のクレーン装置の作業半径の検討も必要となるなど、手間と時間のかかる作業となってしまっていた。
【０００８】
本発明は、このような現状に鑑みて開発されたもので、水域に設けられている建造物からの重量構造物の撤去移動作業が短時間で容易に行われる浮体併用による重量構造物の移動方法並びに橋脚補修・補強工事用仮締切り構造体設置時に用いる仮設重量構造物の撤去移動方法を提供するものである。
【課題を解決するための手段】
【０００９】
添付図面を参照して本発明の要旨を説明する。
【００１０】
河川や海などの水域に設けられている水域建造物１から、この水域建造物１に設備されている重量構造物２を撤去して地上３へと移動させる際に行われる浮体併用による重量構造物の移動方法であって、前記水域建造物１に設備されている前記重量構造物２に、浮力を有する浮体４を付設し、この重量構造物２を引上げ装置５に連結した後、重量構造物２を前記水域建造物１から固定解除することにより水６上に落下させ、前記浮体４により水６に浮かんでいる重量構造物２を前記引上げ装置５で地上３へ移動させることを特徴とする浮体併用による重量構造物の移動方法に係るものである。
【００１１】
また、前記重量構造物２に、この重量構造物２に働く重力と同等の浮力を生じる若しくはこの重量構造物２に働く重力以上の浮力を有する前記浮体４を付設することを特徴とする請求項１記載の浮体併用による重量構造物の移動方法に係るものである。
【００１２】
また、前記水域建造物１に設備されている前記重量構造物２に、シャックル７Ａやカラビナなどの連結金具７を付設し、この連結金具７を介して重量構造物２を前記引上げ装置５に連結することを特徴とする請求項１，２のいずれか１項に記載の浮体併用による重量構造物の移動方法に係るものである。
【００１３】
また、河川や海などの水域に設けられている橋脚１Ａの上方に固定されて、橋脚補修・補強工事用の仮締切り構造体８を橋脚１Ａ上方の非水没箇所に支持している仮設重量構造物２Ａを、仮締切り構造体８を水６中に降下させるために橋脚１Ａから撤去する際に行われる橋脚補修・補強工事用仮締切り構造体設置時に用いる仮設重量構造物の撤去移動方法であって、前記橋脚１Ａに固定されている前記仮設重量構造物２Ａに、浮力を有する浮体４を付設し、この仮設重量構造物２Ａを引上げ装置５に連結した後、仮設重量構造物２Ａを橋脚１Ａから固定解除することにより水６上に落下させ、前記浮体４により水６に浮かんでいる仮設重量構造物２Ａを前記引上げ装置５で地上３へ移動させることを特徴とする橋脚補修・補強工事用仮締切り構造体設置時に用いる仮設重量構造物の撤去移動方法に係るものである。
【発明の効果】
【００１４】
本発明は上述のように、水域建造物に設備されている重量構造物に、浮力を有する浮体を付設し、この重量構造物を引上げ装置に連結した後、重量構造物を前記水域建造物から固定解除することにより水上に落下させ、前記浮体により水に浮かんでいる重量構造物を前記引上げ装置で地上へ移動させるから、使用する引上げ装置が一台だけで良く、そのため二台のクレーン装置を用いる大掛かりな従来作業に比べて、短時間で容易に行うことができる極めて実用性に優れた浮体併用による重量構造物の移動方法となる。
【００１５】
また、請求項２記載の発明においては、水上に落下させた重量構造物が水に浮かんで地上から目視可能な状態となるので、重量構造物を目視しつつ引上げ装置で安全に地上へ移動できる一層実用性に優れた構成の浮体併用による重量構造物の移動方法となる。
【００１６】
また、請求項３記載の発明においては、重量構造物と引上げ装置との連結構造を簡易構成にして容易に設計実現可能となる一層実用性に優れた構成の浮体併用による重量構造物の移動方法となる。
【００１７】
また、請求項４記載の発明においては、橋脚に固定されている仮設重量構造物に、浮力を有する浮体を付設し、この仮設重量構造物を引上げ装置に連結した後、仮設重量構造物を橋脚から固定解除することにより水上に落下させ、前記浮体により水に浮かんでいる仮設重量構造物を前記引上げ装置で地上へ移動させるから、使用する引上げ装置が一台だけで良く、そのため二台のクレーン装置を用いる大掛かりな従来作業に比べて、短時間で容易に行うことができる極めて実用性に優れた橋脚補修・補強工事用仮締切り構造体設置時に用いる仮設重量構造物の撤去移動方法となる。
【図面の簡単な説明】
【００１８】
【図１】橋脚の周囲に仮締切り構造体を構築し、この仮締切り構造体を橋脚の外周面に固定したブラケットにより非水没箇所に支持した状態を示す説明正面図である。
【図２】本実施例を示す説明図である。
【図３】図２のブラケット撤去作業に続いて、仮締切り構造体を水中に降下させた状態を示す説明正面図である。
【図４】従来のブラケット撤去方法を示す説明図である。
【発明を実施するための形態】
【００１９】
好適と考える本発明の実施形態を、図面に基づいて本発明の作用を示して簡単に説明する。
【００２０】
河川や海などの水域に設けられている水域建造物１から、この水域建造物１に設備されている重量構造物２を撤去して地上３へと移動させる際に行われる浮体併用による重量構造物の移動方法の場合は、先ず、前記重量構造物２に、浮力を有する浮体４を付設する。
【００２１】
次いで、この重量構造物２を引上げ装置５に連結した後、重量構造物２を前記水域建造物１から固定解除することにより水６上に落下させ、前記浮体４により水６に浮かんでいる重量構造物２を前記引上げ装置５で地上３へ移動させる。
【００２２】
また、河川や海などの水域に設けられている橋脚１Ａの上方に固定されて、橋脚補修・補強工事用の仮締切り構造体８を橋脚１Ａ上方の非水没箇所に支持している仮設重量構造物２Ａを、仮締切り構造体８を水中に降下させるために橋脚１Ａから撤去する際に行われる橋脚補修・補強工事用仮締切り構造体設置時に用いる仮設重量構造物の撤去移動方法の場合には、先ず、前記橋脚１Ａに固定されている前記仮設重量構造物２Ａに、浮力を有する浮体４を付設する。
【００２３】
次いで、この仮設重量構造物２Ａを引上げ装置５に連結した後、仮設重量構造物２Ａを橋脚１Ａから固定解除することにより水６上に落下させ、前記浮体４により水６に浮かんでいる仮設重量構造物２Ａを前記引上げ装置５で地上３へ移動させる。
【００２４】
従って、本発明によれば、重量構造物２（仮設重量構造物２Ａ）の撤去移動作業に用いる引上げ装置５が一台で足りるため、従来のように二台のクレーン装置を用いた大掛かりな作業は不要で、それだけ水域建造物１（橋脚１Ａ）に設備されている重量構造物２（仮設重量構造物２Ａ）の撤去移動作業が短時間で容易に行われる。
【実施例】
【００２５】
本発明の具体的な実施例について図面に基づいて説明する。
【００２６】
本実施例は、河川や海などの水域に設けられている水域建造物１から、この水域建造物１に設備されている重量構造物２を撤去して地上３へと移動させる際に行われる浮体併用による重量構造物の移動方法に係るものである。
【００２７】
具体的には、水域建造物１としての橋の橋脚１Ａ（以下、本実施例では、水域建造物１を橋脚１Ａと称す。）が損傷を生じた場合に行われる、橋脚１Ａの補修・補強工事に用いる仮締切り構造体８の設置工法において、橋脚１Ａの上方に固定されて前記仮締切り構造体８を橋脚１Ａ上方の非水没箇所に支持している重量構造物２としての仮設重量構造物２Ａを、仮締切り構造体８を水６中に降下させるために橋脚１Ａから撤去する際に行われる橋脚補修・補強工事用仮締切り構造体８設置時に用いる仮設重量構造物２Ａの撤去移動方法に係るものである。
【００２８】
尚、本発明はこの実施例に限らず、何らかの水域建造物１から、この水域建造物１に設備されている重量構造物２を撤去して地上３へと移動させる場合にも適用可能である。
【００２９】
以下、橋脚１Ａへの仮締切り構造体８の設置手順を説明する。
【００３０】
先ず、橋脚１Ａの周囲の水面上に図示省略の浮桟橋を設置し、橋脚１Ａの水面より上方位置（非水没箇所）に、仮設重量構造物２Ａとして足場支持用のブラケット２Ａ（以下、本実施例では、仮設重量構造物２Ａ（重量構造物２）をブラケット２Ａと称す。）をアンカー９を用いて仮設固定し、このブラケット２Ａ上に図示省略の作業用足場を設置する。
【００３１】
次いで、この作業用足場を利用して、底部に橋脚１Ａを貫通配設する貫通孔部10が設けられ橋脚１Ａの外周を囲むように設置される仮締切り構造体８を構築する。
【００３２】
具体的には、仮締切り構造体８は、分割壁材11として採用した湾曲板状のライナープレート11を、前記橋脚１Ａの周方向および高さ方向に複数組み合せ連結して所要高さの円筒状体に形成され、この円筒状仮締切り構造体８の底側中心孔部が前記貫通孔部10として構成されている。
【００３３】
次いで、橋脚１Ａの上方の数箇所（例えば四箇所）に降下索12を設置し、この各降下索12を前記仮締切り構造体８に連結して、仮締切り構造体10を橋脚１Ａに吊り下げる（図１参照）と共に、例えば、橋脚１Ａと仮締切り構造体８とに、図示省略の降下用ガイドを設置する。
【００３４】
また、この各降下索12は、チェーンブロックなどの昇降装置15によって昇降駆動可能に構成されており、昇降装置15の制御により仮締切り構造体８を降下用ガイドを介して降下移動し得るように設けられている。
【００３５】
次いで、前記作業用足場を撤去し、仮締切り構造体８を水６中に降下設置させるために前記ブラケット２Ａも撤去する。
【００３６】
ここで、本実施例の要部である、橋脚１Ａ補修・補強工事用仮締切り構造体８設置時に用いる仮設重量構造物２Ａ（ブラケット２Ａ）の撤去移動方法、即ち仮締切り構造体８を橋脚１Ａ上方の非水没箇所に支持している前記ブラケット２Ａを、仮締切り構造体８を水６中に降下設置させるために橋脚１Ａから撤去する際に行われる橋脚補修・補強工事用仮締切り構造体設置時に用いる仮設重量構造物の撤去移動方法について、図２に基づいて説明する。
【００３７】
先ず、図２（ａ）に示すように、前記ブラケット２Ａ上に支持されている仮締切り構造体８を、前記昇降装置15により前記降下用ガイドを介して橋脚１Ａに対し少し上昇させ、橋脚１Ａに固定されている前記ブラケット２Ａの上腕部上に、浮力を有する浮体４を適宜な付設手段により付設する（図２（ｂ）参照）。尚、浮体４のブラケット２Ａへの付設手段は、適宜設計変更可能である。
【００３８】
また、この浮体４は、浮力を有するものであれば何でも良いが、本実施例では、内部に気体（空気など）を充填することによって浮力を生じる浮き輪のような構造の浮体４を採用している。
【００３９】
また、この浮体４は、ブラケット２Ａに働く重力と同等の浮力を生じる若しくはこのブラケット２Ａに働く重力以上の浮力を有するものであることが好ましく、このような浮体４を採用することにより、水６上に落下させたブラケット２Ａが地上３から目視可能な状態で水６に浮かぶことになるので、後述するブラケット２Ａを引上げ装置５で地上３へ移動させる作業が、ブラケット２Ａを目視しながら安全に行われることとなる。
【００４０】
続いて、ブラケット２Ａを橋脚１Ａに固定している複数のアンカー９のうち、二本程度を残して切断し、ブラケット２Ａの上腕部の先端（外端）に、シャックル７Ａを採用した連結金具７を適宜な付設手段により付設し、このシャックル７Ａに、予め水域付近の地上３に用意された引上げ装置５としてのクレーン装置５のブーム先端から巻き出された連結索14（ワイヤー14）を連結する（図２（ｃ）参照）。
【００４１】
尚、引上げ装置５は、本実施例で採用したクレーン装置に限らず、ウインチなどの連結索巻上げ機や手動による連結索巻上げ機を採用しても良いし、他の構成の引上げ装置を採用しても良い。また、連結金具７のブラケット２Ａへの付設手段も適宜設計し得るものである。
【００４２】
続いて、先の作業で切断しなかった前記アンカー９を全て切断することにより、ブラケット２Ａを橋脚１Ａから固定解除して水６上に落下させ（図２（ｄ）参照）、前記浮体４により水６に浮かんでいるブラケット２Ａを前記引上げ装置５で地上３へ移動させて（図２（ｅ）参照）、ブラケット２Ａの撤去完了となる。
【００４３】
次いで、前記昇降装置15により前記降下用ガイドを介して橋脚１Ａに対し仮締切り構造体８を水６中に降下させ（図３参照）、その後、例えば、仮締切り構造体８の上縁部より上方に図示省略の浮上防止ブラケットを配して橋脚１Ａに固定し、この浮上防止ブラケットが仮締切り構造体８の上縁部に接することによって、浮力により上昇しようとする仮締切り構造体８を水６中に止め、仮締切り構造体８の貫通孔部10と橋脚１Ａの外周面若しくは基礎35との間の間隙部を止水し、仮締切り構造体８内に入り込んでいる水をポンプ等により排水して仮締切り構造体８内を作業用ドライエリアとし、施工完了となる。
【００４４】
尚、本発明は、本実施例に限られるものではなく、各構成要件の具体的構成は適宜設計し得るものである。
【符号の説明】
【００４５】
１  水域建造物
１Ａ  橋脚
２  重量構造物
２Ａ  仮設重量構造物
３  地上
４  浮体
５  引上げ装置
６  水
７  連結金具
７Ａ  シャックル
８  仮締切り構造体
【図１】
2018119342.tif 000003
【図２】
2018119342.tif 000004
【図３】
2018119342.tif 000005
【図４】
2018119342.tif 000006
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
水域に設けられている水域建造物から、この水域建造物に設備されている重量構造物を撤去して地上へと移動させる際に行われる浮体併用による重量構造物の移動方法であって、前記水域建造物に設備されている前記重量構造物に、浮力を有する浮体を付設し、この重量構造物を引上げ装置に連結した後、重量構造物を前記水域建造物から固定解除することにより水上に落下させ、前記浮体により水に浮かんでいる重量構造物を前記引上げ装置で地上へ移動させることを特徴とする浮体併用による重量構造物の移動方法。
【請求項２】
前記重量構造物に、この重量構造物に働く重力と同等の浮力を生じる若しくはこの重量構造物に働く重力以上の浮力を有する前記浮体を付設することを特徴とする請求項１記載の浮体併用による重量構造物の移動方法。
【請求項３】
前記水域建造物に設備されている前記重量構造物に連結金具を付設し、この連結金具を介して重量構造物を前記引上げ装置に連結することを特徴とする請求項１，２のいずれか１項に記載の浮体併用による重量構造物の移動方法。
【請求項４】
水域に設けられている橋脚の上方に固定されて、橋脚補修・補強工事用の仮締切り構造体を橋脚上方の非水没箇所に支持している仮設重量構造物を、仮締切り構造体を水中に降下させるために橋脚から撤去する際に行われる橋脚補修・補強工事用仮締切り構造体設置時に用いる仮設重量構造物の撤去移動方法であって、前記橋脚に固定されている前記仮設重量構造物に、浮力を有する浮体を付設し、この仮設重量構造物を引上げ装置に連結した後、仮設重量構造物を橋脚から固定解除することにより水上に落下させ、前記浮体により水に浮かんでいる仮設重量構造物を前記引上げ装置で地上へ移動させることを特徴とする橋脚補修・補強工事用仮締切り構造体設置時に用いる仮設重量構造物の撤去移動方法。
【手続補正２】
【補正対象書類名】明細書
【補正対象項目名】全文
【補正方法】変更
【補正の内容】
【発明の詳細な説明】
【技術分野】
【０００１】
本発明は、河川や海などの水域に設けられている橋脚などの水域建造物から、この水域建造物に設備されている重量構造物を撤去して地上へと移動させる際に行う浮体併用による重量構造物の移動方法並びに橋脚の補修・補強工事用仮締切り構造体設置時に用いる支持ブラケットの撤去移動方法に関するものである。
【背景技術】
【０００２】
河川や海などに架けられた橋は、その橋脚30に経年劣化や地震などにより損傷を生じると、補修・補強工事を行う。
【０００３】
具体的には、橋脚30の周囲に筒状の仮締切り構造体31を構築し、この仮締切り構造体31によって水がその内側に入らないようにして作業スペース（ドライエリア）を確保する（例えば、特許文献１参照）。
【０００４】
また、仮締切り構造体31の設置手順を説明すると、例えば、橋脚30の上方の非水没箇所に足場支持用のブラケット32を固定し、このブラケット32上に仮設足場を組み、この仮設足場を利用して、底部に橋脚30を貫通配設する貫通孔部33が設けられ橋脚30の外周を囲むように設置される仮締切り構造体31を構築してこの仮締切り構造体31をブラケット32上に支持し、次いで、ブラケット32を橋脚30から撤去し、ブラケット32撤去により降下可能となった仮締切り構造体31を水中に降下させて、この仮締切り構造体31による前記作業スペースを水中に確保する。
【先行技術文献】
【特許文献】
【０００５】
【特許文献１】特開２００８−２９７７４８号公報
【発明の概要】
【発明が解決しようとする課題】
【０００６】
ところで、前述のブラケット32は、かなりの重量物であり、このブラケット32（仮設重量構造物32）を仮締切り構造体31構築後に橋脚30から撤去しなければならないが、この撤去作業が非常に厄介な作業となっていた。
【０００７】
即ち、このブラケット32の撤去方法を図４に基づいて説明すると、先ず、図４（ａ）に示すように、ブラケット32上に支持されている仮締切り構造体31を昇降装置（図示省略）により少し上昇させておき、ブラケット32の上腕部に地上40から第一のクレーン装置34のワイヤー35（第一ワイヤー35）を連結すると共に、ブラケット32の上腕部の先端（外端）に付設したシャックル36に、地上40から第二のクレーン装置37のワイヤー38（第二ワイヤー38）を連結し（図４（ｂ）参照）、次いで、二台のクレーン装置34・37でブラケット32を吊りながらブラケット32を橋脚30に固定しているアンカー39を切断し（図４（ｃ）参照）、次いで、ブラケット32が第二ワイヤー38にのみ吊られた状態となるように、第一ワイヤー35を緩め（図４（ｄ）参照）た後、第一ワイヤー35をブラケット32から連結解除して第二のクレーン装置37によりブラケット32を地上40へと移動させて撤去する（図４（ｅ）参照）ものであり、この撤去方法によると、クレーン装置が二台も必要な非常に大掛かりな作業となると共に、事前に二台のクレーン装置の作業半径の検討も必要となるなど、手間と時間のかかる作業となってしまっていた。
【０００８】
本発明は、このような現状に鑑みて開発されたもので、水域に設けられている建造物からの重量構造物の撤去移動作業が短時間で容易に行われる浮体併用による重量構造物の移動方法並びに橋脚補修・補強工事用仮締切り構造体設置時に用いる仮設重量構造物の撤去移動方法を提供するものである。
【課題を解決するための手段】
【０００９】
添付図面を参照して本発明の要旨を説明する。
【００１０】
水域に設けられている水域建造物１から、この水域建造物１に設備されている重量構造物２を撤去して地上３へと移動させる際に行われる浮体併用による重量構造物の移動方法であって、前記水域建造物１に設備されている前記重量構造物２に、浮力を有する浮体４を付設し、この重量構造物２を引上げ装置５に連結した後、重量構造物２を前記水域建造物１から固定解除することにより水６上に落下させ、前記浮体４により水６に浮かんでいる重量構造物２を前記引上げ装置５で地上３へ移動させることを特徴とする浮体併用による重量構造物の移動方法に係るものである。
【００１１】
また、前記重量構造物２に、この重量構造物２に働く重力と同等の浮力を生じる若しくはこの重量構造物２に働く重力以上の浮力を有する前記浮体４を付設することを特徴とする請求項１記載の浮体併用による重量構造物の移動方法に係るものである。
【００１２】
また、前記水域建造物１に設備されている前記重量構造物２に連結金具７を付設し、この連結金具７を介して重量構造物２を前記引上げ装置５に連結することを特徴とする請求項１，２のいずれか１項に記載の浮体併用による重量構造物の移動方法に係るものである。
【００１３】
また、水域に設けられている橋脚１Ａの上方に固定されて、橋脚補修・補強工事用の仮締切り構造体８を橋脚１Ａ上方の非水没箇所に支持している仮設重量構造物２Ａを、仮締切り構造体８を水６中に降下させるために橋脚１Ａから撤去する際に行われる橋脚補修・補強工事用仮締切り構造体設置時に用いる仮設重量構造物の撤去移動方法であって、前記橋脚１Ａに固定されている前記仮設重量構造物２Ａに、浮力を有する浮体４を付設し、この仮設重量構造物２Ａを引上げ装置５に連結した後、仮設重量構造物２Ａを橋脚１Ａから固定解除することにより水６上に落下させ、前記浮体４により水６に浮かんでいる仮設重量構造物２Ａを前記引上げ装置５で地上３へ移動させることを特徴とする橋脚補修・補強工事用仮締切り構造体設置時に用いる仮設重量構造物の撤去移動方法に係るものである。
【発明の効果】
【００１４】
本発明は上述のように、水域建造物に設備されている重量構造物に、浮力を有する浮体を付設し、この重量構造物を引上げ装置に連結した後、重量構造物を前記水域建造物から固定解除することにより水上に落下させ、前記浮体により水に浮かんでいる重量構造物を前記引上げ装置で地上へ移動させるから、使用する引上げ装置が一台だけで良く、そのため二台のクレーン装置を用いる大掛かりな従来作業に比べて、短時間で容易に行うことができる極めて実用性に優れた浮体併用による重量構造物の移動方法となる。
【００１５】
また、請求項２記載の発明においては、水上に落下させた重量構造物が水に浮かんで地上から目視可能な状態となるので、重量構造物を目視しつつ引上げ装置で安全に地上へ移動できる一層実用性に優れた構成の浮体併用による重量構造物の移動方法となる。
【００１６】
また、請求項３記載の発明においては、重量構造物と引上げ装置との連結構造を簡易構成にして容易に設計実現可能となる一層実用性に優れた構成の浮体併用による重量構造物の移動方法となる。
【００１７】
また、請求項４記載の発明においては、橋脚に固定されている仮設重量構造物に、浮力を有する浮体を付設し、この仮設重量構造物を引上げ装置に連結した後、仮設重量構造物を橋脚から固定解除することにより水上に落下させ、前記浮体により水に浮かんでいる仮設重量構造物を前記引上げ装置で地上へ移動させるから、使用する引上げ装置が一台だけで良く、そのため二台のクレーン装置を用いる大掛かりな従来作業に比べて、短時間で容易に行うことができる極めて実用性に優れた橋脚補修・補強工事用仮締切り構造体設置時に用いる仮設重量構造物の撤去移動方法となる。
【図面の簡単な説明】
【００１８】
【図１】橋脚の周囲に仮締切り構造体を構築し、この仮締切り構造体を橋脚の外周面に固定したブラケットにより非水没箇所に支持した状態を示す説明正面図である。
【図２】本実施例を示す説明図である。
【図３】図２のブラケット撤去作業に続いて、仮締切り構造体を水中に降下させた状態を示す説明正面図である。
【図４】従来のブラケット撤去方法を示す説明図である。
【発明を実施するための形態】
【００１９】
好適と考える本発明の実施形態を、図面に基づいて本発明の作用を示して簡単に説明する。
【００２０】
河川や海などの水域に設けられている水域建造物１から、この水域建造物１に設備されている重量構造物２を撤去して地上３へと移動させる際に行われる浮体併用による重量構造物の移動方法の場合は、先ず、前記重量構造物２に、浮力を有する浮体４を付設する。
【００２１】
次いで、この重量構造物２を引上げ装置５に連結した後、重量構造物２を前記水域建造物１から固定解除することにより水６上に落下させ、前記浮体４により水６に浮かんでいる重量構造物２を前記引上げ装置５で地上３へ移動させる。
【００２２】
また、河川や海などの水域に設けられている橋脚１Ａの上方に固定されて、橋脚補修・補強工事用の仮締切り構造体８を橋脚１Ａ上方の非水没箇所に支持している仮設重量構造物２Ａを、仮締切り構造体８を水中に降下させるために橋脚１Ａから撤去する際に行われる橋脚補修・補強工事用仮締切り構造体設置時に用いる仮設重量構造物の撤去移動方法の場合には、先ず、前記橋脚１Ａに固定されている前記仮設重量構造物２Ａに、浮力を有する浮体４を付設する。
【００２３】
次いで、この仮設重量構造物２Ａを引上げ装置５に連結した後、仮設重量構造物２Ａを橋脚１Ａから固定解除することにより水６上に落下させ、前記浮体４により水６に浮かんでいる仮設重量構造物２Ａを前記引上げ装置５で地上３へ移動させる。
【００２４】
従って、本発明によれば、重量構造物２（仮設重量構造物２Ａ）の撤去移動作業に用いる引上げ装置５が一台で足りるため、従来のように二台のクレーン装置を用いた大掛かりな作業は不要で、それだけ水域建造物１（橋脚１Ａ）に設備されている重量構造物２（仮設重量構造物２Ａ）の撤去移動作業が短時間で容易に行われる。
【実施例】
【００２５】
本発明の具体的な実施例について図面に基づいて説明する。
【００２６】
本実施例は、河川や海などの水域に設けられている水域建造物１から、この水域建造物１に設備されている重量構造物２を撤去して地上３へと移動させる際に行われる浮体併用による重量構造物の移動方法に係るものである。
【００２７】
具体的には、水域建造物１としての橋の橋脚１Ａ（以下、本実施例では、水域建造物１を橋脚１Ａと称す。）が損傷を生じた場合に行われる、橋脚１Ａの補修・補強工事に用いる仮締切り構造体８の設置工法において、橋脚１Ａの上方に固定されて前記仮締切り構造体８を橋脚１Ａ上方の非水没箇所に支持している重量構造物２としての仮設重量構造物２Ａを、仮締切り構造体８を水６中に降下させるために橋脚１Ａから撤去する際に行われる橋脚補修・補強工事用仮締切り構造体８設置時に用いる仮設重量構造物２Ａの撤去移動方法に係るものである。
【００２８】
尚、本発明はこの実施例に限らず、何らかの水域建造物１から、この水域建造物１に設備されている重量構造物２を撤去して地上３へと移動させる場合にも適用可能である。
【００２９】
以下、橋脚１Ａへの仮締切り構造体８の設置手順を説明する。
【００３０】
先ず、橋脚１Ａの周囲の水面上に図示省略の浮桟橋を設置し、橋脚１Ａの水面より上方位置（非水没箇所）に、仮設重量構造物２Ａとして足場支持用のブラケット２Ａ（以下、本実施例では、仮設重量構造物２Ａ（重量構造物２）をブラケット２Ａと称す。）をアンカー９を用いて仮設固定し、このブラケット２Ａ上に図示省略の作業用足場を設置する。
【００３１】
次いで、この作業用足場を利用して、底部に橋脚１Ａを貫通配設する貫通孔部10が設けられ橋脚１Ａの外周を囲むように設置される仮締切り構造体８を構築する。
【００３２】
具体的には、仮締切り構造体８は、分割壁材11として採用した湾曲板状のライナープレート11を、前記橋脚１Ａの周方向および高さ方向に複数組み合せ連結して所要高さの円筒状体に形成され、この円筒状仮締切り構造体８の底側中心孔部が前記貫通孔部10として構成されている。
【００３３】
次いで、橋脚１Ａの上方の数箇所（例えば四箇所）に降下索12を設置し、この各降下索12を前記仮締切り構造体８に連結して、仮締切り構造体10を橋脚１Ａに吊り下げる（図１参照）と共に、例えば、橋脚１Ａと仮締切り構造体８とに、図示省略の降下用ガイドを設置する。
【００３４】
また、この各降下索12は、チェーンブロックなどの昇降装置15によって昇降駆動可能に構成されており、昇降装置15の制御により仮締切り構造体８を降下用ガイドを介して降下移動し得るように設けられている。
【００３５】
次いで、前記作業用足場を撤去し、仮締切り構造体８を水６中に降下設置させるために前記ブラケット２Ａも撤去する。
【００３６】
ここで、本実施例の要部である、橋脚１Ａ補修・補強工事用仮締切り構造体８設置時に用いる仮設重量構造物２Ａ（ブラケット２Ａ）の撤去移動方法、即ち仮締切り構造体８を橋脚１Ａ上方の非水没箇所に支持している前記ブラケット２Ａを、仮締切り構造体８を水６中に降下設置させるために橋脚１Ａから撤去する際に行われる橋脚補修・補強工事用仮締切り構造体設置時に用いる仮設重量構造物の撤去移動方法について、図２に基づいて説明する。
【００３７】
先ず、図２（ａ）に示すように、前記ブラケット２Ａ上に支持されている仮締切り構造体８を、前記昇降装置15により前記降下用ガイドを介して橋脚１Ａに対し少し上昇させ、橋脚１Ａに固定されている前記ブラケット２Ａの上腕部上に、浮力を有する浮体４を適宜な付設手段により付設する（図２（ｂ）参照）。尚、浮体４のブラケット２Ａへの付設手段は、適宜設計変更可能である。
【００３８】
また、この浮体４は、浮力を有するものであれば何でも良いが、本実施例では、内部に気体（空気など）を充填することによって浮力を生じる浮き輪のような構造の浮体４を採用している。
【００３９】
また、この浮体４は、ブラケット２Ａに働く重力と同等の浮力を生じる若しくはこのブラケット２Ａに働く重力以上の浮力を有するものであることが好ましく、このような浮体４を採用することにより、水６上に落下させたブラケット２Ａが地上３から目視可能な状態で水６に浮かぶことになるので、後述するブラケット２Ａを引上げ装置５で地上３へ移動させる作業が、ブラケット２Ａを目視しながら安全に行われることとなる。
【００４０】
続いて、ブラケット２Ａを橋脚１Ａに固定している複数のアンカー９のうち、二本程度を残して切断し、ブラケット２Ａの上腕部の先端（外端）に、シャックル７Ａを採用した連結金具７を適宜な付設手段により付設し、このシャックル７Ａに、予め水域付近の地上３に用意された引上げ装置５としてのクレーン装置５のブーム先端から巻き出された連結索14（ワイヤー14）を連結する（図２（ｃ）参照）。
【００４１】
尚、引上げ装置５は、本実施例で採用したクレーン装置に限らず、ウインチなどの連結索巻上げ機や手動による連結索巻上げ機を採用しても良いし、他の構成の引上げ装置を採用しても良い。また、連結金具７のブラケット２Ａへの付設手段も適宜設計し得るものである。
【００４２】
続いて、先の作業で切断しなかった前記アンカー９を全て切断することにより、ブラケット２Ａを橋脚１Ａから固定解除して水６上に落下させ（図２（ｄ）参照）、前記浮体４により水６に浮かんでいるブラケット２Ａを前記引上げ装置５で地上３へ移動させて（図２（ｅ）参照）、ブラケット２Ａの撤去完了となる。
【００４３】
次いで、前記昇降装置15により前記降下用ガイドを介して橋脚１Ａに対し仮締切り構造体８を水６中に降下させ（図３参照）、その後、例えば、仮締切り構造体８の上縁部より上方に図示省略の浮上防止ブラケットを配して橋脚１Ａに固定し、この浮上防止ブラケットが仮締切り構造体８の上縁部に接することによって、浮力により上昇しようとする仮締切り構造体８を水６中に止め、仮締切り構造体８の貫通孔部10と橋脚１Ａの外周面若しくは基礎35との間の間隙部を止水し、仮締切り構造体８内に入り込んでいる水をポンプ等により排水して仮締切り構造体８内を作業用ドライエリアとし、施工完了となる。
【００４４】
尚、本発明は、本実施例に限られるものではなく、各構成要件の具体的構成は適宜設計し得るものである。
【符号の説明】
【００４５】
１  水域建造物
１Ａ  橋脚
２  重量構造物
２Ａ  仮設重量構造物
３  地上
４  浮体
５  引上げ装置
６  水
７  連結金具
８  仮締切り構造体